(57)【要約】【課題】  本発明は、製造時に高精度な口出し長管理を実施することなく、適切なファイバ長を容易に得ることが可能な光機器用口出しファイバ長調整機構を提供することにある。【解決手段】  巻回手段１３，２１に口出しファイバ２５を巻回し、この巻回手段１３，２１にて光機器１１から機能部品２７までの口出しファイバ２５の長さを調整するようにしたものである。【選択図】  図１
2005326780.tif 000002
【特許請求の範囲】
【請求項１】
光機器から信号光および励起光のいずれかを入出力するために導き出されると共に、先端部に機能部品が取り付けられた少なくとも１本の口出しファイバと、
前記少なくとも１本の口出しファイバを巻回する巻回手段とを備え、
前記巻回手段は、
前記光機器に固定された固定部材と、
この固定部材に対して相対距離が変化可能な移動部材とを有し、
前記移動部材の前記固定部材に対する相対距離の変化に応じて前記口出しファイバを巻回する長さが変化することを特徴とする光機器用口出しファイバ長調整機構。
【請求項２】
前記巻回手段が、前記口出しファイバを少なくとも１回巻回したことを特徴とする請求項１記載の光機器用口出しファイバ長調整機構。
【請求項３】
前記巻回手段が、前記光機器に複数段積層したことを特徴とする請求項１または２記載の光機器用口出しファイバ長調整機構。
【請求項４】
前記固定部材および前記移動部材の外周縁には、内側方向に凹む凹部が形成されたことを特徴とする請求項１記載の光機器用口出しファイバ長調整機構。
【請求項５】
前記機能部品は、フェルール、ＳＣコネクタ、ＦＣコネクタ、ＭＵコネクタなどのコネクタ、レーザダイオードモジュール、フォトダイオードモジュールから選択されたいずれか一つであることを特徴とする請求項１記載の光機器用口出しファイバ長調整機構。
【請求項６】
前記口出しファイバの径が０．１６〜０．９０ｍｍであることを特徴とする請求項１記載の光機器用口出しファイバ長調整機構。
【発明の詳細な説明】
【技術分野】
【０００１】
□本発明は、筐体内に光増幅器、光ファイバ増幅器、ゲインブロックや分散補償ファイバモジュールなどの光機器（以下、光機器という。）が収納され、上記筐体から口出しされている光ファイバの長さを調整可能な光機器用口出しファイバ長調整機構に関する。
【背景技術】
【０００２】
一般に、光伝送システムに使用される光増幅器、光ファイバ増幅器、ゲインブロックや分散補償ファイバモジュールなどの光機器は、光信号や励起光をその機器内に入力して増幅や補償が行われた光信号を出力する構成となっている。
【０００３】
上記光信号を入出力するため、光機器は、その筐体から光ファイバが口出しされていることが多い。以下、この口出しされている光ファイバを「口出しファイバ」という。
【０００４】
この口出しファイバは、上記光機器において内部の回路と融着接続されており、その内部の回路を保護するため、光機器出口部分において接着剤などで固定する方式が一般的に採用されている。上記口出しファイバの接続強度は、光ファイバ増幅器などの一般的な信頼性規格であるtelcordia規格（Telcordia GR-1312-COREなど）においても、０．５〜１ｋｇｆの引張力に対して引抜きが発生しないことが要求されている。
【０００５】
また、光ファイバを収納する装置としては、特許文献１に記載された光ファイバ 余長処理装置が知られている。
【０００６】
このものは、内円筒と外円筒を同心に筐体内に一体に形成され、内円筒に直径の両端に円弧状の板ばねを取付け、筐体入口部より導入した光ファイバテープ心線を接続作業に必要な長さ、板ばねと内円筒に板ばねに力を加えることなく空間を維持しながら巻回 し、内円筒の固定部で固定し、光ファイバテープ心線の出口部通路に設けた出入れ制御部で接続作業に必要な長さにおいて保持するよう構成したものであり、接続作業後熟練作業を必要とせずに余分に繰出した光ファイバテープ心線を一定以上の曲率で収納できるようにできるという利点を有している。
【特許文献１】特開平６−１０９９３０号公報
【発明の開示】
【発明が解決しようとする課題】
【０００７】
しかしながら、上記口出しファイバを接着により固定した場合には、後工程や製造後に口出しファイバの筐体から先端部までの長さ（以下、口出し長という。）の調整を行うことが不可能であった。因みに、これは口出しファイバの先端に他の機器との接続を容易に実施するため、ＳＣコネクタ、ＦＣコネクタやＭＵコネクタなどが取り付けられて構成されている場合、またフォトダイオード（ＰＤ）やレーザダイオード（ＬＤ）などの機能部品が付属している場合に顕著であった。
【０００８】
また、この光機器などを別の機器として特に高密度に実装されている系へ内蔵・収納する場合には、光機器などから別の機器まで口出しファイバを配線する際、ファイバの長さが不足したり、不要な弛みが発生しないように口出し長を高精度に管理（目標長±１０ｃｍ程度）することが要求される。
【０００９】
ところで、光機器内部において光ファイバの配線を行う場合は、信号の損失を抑制するためにＲ（アール）２０ｍｍ以上の曲率を保つ必要がある。このため、光機器内の限られた空間内では、口出し長を調整することが困難である。
【００１０】
高性能な光回路を製造するためには、光ファイバ同士の接続は低損失であることが要求され、その低損失水準を満たすまで融着作業を必要回数だけ実施することとなる。これにより、融着作業を実施するごとに接続点からコネクタ先端までのファイバ長が変化してしまうことになる。そして、口出しファイバが接着により固定されているため、ファイバ実装時に様々な位置へと配置するには、自由度が少ない。また、各口出しファイバのファイバ長は、機能別に厳密に管理する必要があり（信号光出力は、３５０ｍｍ±２５ｍｍ、励起光入力は４００±２５ｍｍなど）、製造時の口出し長調整が非常に煩雑なものとなっていた。
【００１１】
また、特許文献１に記載されたものでは、板ばねを用いる構造になっているため、φ０．２５素線に適用するとファイバを折ってしまう危険があり、テープ心線にしか適用できないといった問題があった。また、大きく巻き回すスペースが必要になるので、床面積（タテ・ヨコ共に）が非常に大きくなってしまい、限られたスペース内で実施する場合に現実が困難になるといった問題があった。
【００１２】
本発明は、上記に鑑みてなされたもので、その目的としては、製造時に高精度な口出し長管理を実施することなく、適切なファイバ長を容易に得ることが可能な光機器用口出しファイバ長調整機構を提供することにある。
【課題を解決するための手段】
【００１３】
請求項１記載の発明は、上記課題を解決するため、光機器から信号光および励起光のいずれかを入出力するために導き出されると共に、先端部に機能部品が取り付けられた少なくとも１本の口出しファイバと、前記少なくとも１本の口出しファイバを巻回する巻回手段とを備え、前記巻回手段は、前記光機器に固定された固定部材と、この固定部材に対して相対距離が変化可能な移動部材とを有し、前記移動部材の前記固定部材に対する相対距離の変化に応じて前記口出しファイバを巻回する長さが変化することを要旨とする。
【００１４】
請求項２記載の発明は、上記課題を解決するため、前記巻回手段が、前記口出しファイバを少なくとも１回巻回したことを要旨とする。
【００１５】
請求項３記載の発明は、上記課題を解決するため、前記巻回手段が、前記光機器に複数段積層したことを要旨とする。
【００１６】
請求項４記載の発明は、上記課題を解決するため、前記固定部材および前記移動部材の外周縁には、内側方向に凹む凹部が形成されたことを要旨とする。
【００１７】
請求項５記載の発明は、上記課題を解決するため、前記機能部品は、フェルール、ＳＣコネクタ、ＦＣコネクタ、ＭＵコネクタなどのコネクタ、レーザダイオードモジュール、フォトダイオードモジュールから選択されたいずれか一つであることを要旨とする。
【００１８】
請求項６記載の発明は、上記課題を解決するため、前記口出しファイバの径が０．１６〜０．９０ｍｍであることを要旨とする。
【発明の効果】
【００１９】
請求項１記載の本発明によれば、光機器に固定された固定部材と、この固定部材に対して相対距離が変化可能な移動部材とを備えた巻回手段に口出しファイバを巻回し、固定部材に対する移動部材の相対距離の変化に応じて口出しファイバを巻回する長さを変化させるようにしたので、口出しファイバの長さを任意に調整することができる。
【００２０】
請求項２記載の本発明によれば、巻回手段が口出しファイバを少なくとも１回巻回したことにより、光機器から機能部品までの口出しファイバの長さを容易に調整することができる。
【００２１】
請求項３記載の本発明によれば、巻回手段が光機器に複数段積層したことにより、複数本の口出しファイバの長さを調整することができる。
【００２２】
請求項４記載の本発明によれば、固定部材および移動部材の外周縁に内側方向に凹む凹部を形成したことにより、口出しファイバを固定部材および移動部材に巻回する際、口出しファイバの跳ね上がりを防止するので、口出しファイバの巻き崩れを未然に防止することができる。
【００２３】
請求項５記載の本発明によれば、機能部品は、フェルール、ＳＣコネクタ、ＦＣコネクタ、ＭＵコネクタなどのコネクタ、レーザダイオードモジュール、フォトダイオードモジュールから選択されたいずれか一つであるので、各種の機能部品が先端部に取り付けられた口出しファイバに適用することができる。
【００２４】
請求項６記載の本発明によれば、口出しファイバの径が０．１６〜０．９０ｍｍであるため、多種類の口出しファイバに適用することができる。
【発明を実施するための最良の形態】
【００２５】
以下、本発明の実施の形態を図面を参照して説明する。
【００２６】
（一実施の形態）
図１（Ａ），（Ｂ）は本発明の一実施の形態における光機器用口出しファイバ長調整機構を示す平面図，正面図、図２（Ａ），（Ｂ）は図１のスライダを示す平面図，正面図、図３は図１の円弧板を示す平面図、図４は図１の光機器用口出しファイバ長調整機構のスライダを移動させた状態を示す平面図である。
【００２７】
図１（Ａ），（Ｂ）に示すように、筐体内には光伝送システムに使用される光機器としての光増幅器１１が収納され、この光増幅器１１は外径寸法が縦１２０ｍｍ、横８０ｍｍ、厚さ８ｍｍであり、その光増幅器１１上には、略矢印形状に形成された移動部材としてのスライダ１３と、三日月状に形成された固定部材としての円弧板２１とがねじなどにより取り付けられる。これらスライダ１３および円弧板２１は、本発明の巻回手段を構成する。
【００２８】
スライダ１３は、図１（Ａ），（Ｂ）および図２（Ａ），（Ｂ）に示すように左側（前方）がアール２０ｍｍの半円部１５と、右側（後方）が長方形部１７とを組合せた形状から一体に形成されている。なお、本実施の形態では、図１および図２に示すように便宜上スライダ１３の左側を前方とし、右側を後方としている。
【００２９】
スライダ１３の半円部１５および円弧板２１は、図１（Ｂ）に示すように外縁部にそれぞれ内周方向に傾斜するテーパ部１５ａ，２１ａが形成されている。
【００３０】
また、スライダ１３には、その長手方向に沿って段付きの長溝１９が２条互いに平行に穿設されており、その長溝１９の幅は４ｍｍ、長さは５５ｍｍである。そして、スライダ１３の長方形部１７の右端部は、対向する円弧板２１の凹部と嵌合するような円弧形状に形成されている。さらに、スライダ１３は、光増幅器１１に穿設されたねじ穴に長溝１９を通して固定ねじ２３により固定される。この固定ねじ２３を緩めることで、スライダ１３は長手方向に沿って移動させることが可能となる一方、固定ねじ２３を締め付けることで、移動後の位置にスライダ１３を固定することができる。
【００３１】
また、光増幅器１１からは、信号光を入出力するために外部に１本の口出しファイバ２５が導き出され、この口出しファイバ２５の径は０．１６〜０．９０ｍｍであり、口出しファイバ２５の先端部には、図示しないフェルール、ＳＣコネクタ、ＦＣコネクタ、ＭＵコネクタなどのコネクタ、レーザダイオードモジュール、フォトダイオードモジュールなどから選択された一つの機能部品２７が取り付けられている。
【００３２】
そして、光増幅器１１から口出しされた口出しファイバ２５は、図１（Ａ）に示すように円弧板２１近傍における巻回開始位置を入口側接着部２９として接着され、スライダ１３の半円部１５の周縁に沿って湾曲し、円弧板２１の端部に案内されて光増幅器１１の外部に延びて１回巻回されている。
【００３３】
ここで、光増幅器１１から口出しされた口出しファイバ２５の長さは、図４に示すようにスライダ１３と円弧板２１とが最も近接した状態と、図１（Ａ）に示すように最も離反した状態とを比較すると、９０ｍｍの差が生じている。したがって、固定ねじ２３を緩めることにより、円弧板２１に対するスライダ１３の相対距離を任意に変更することができ、このスライダ１３は９０ｍｍの移動範囲内で任意に口出しファイバ２５の口出し長を調整することが可能である。
【００３４】
次に、図１〜図４を参照して、本実施の形態における光機器用口出しファイバ長調整機構の作用を説明する。
【００３５】
まず、固定ねじ２３を締め付けることにより、光増幅器１１上にスライダ１３を固定し、光増幅器１１から口出しされた口出しファイバ２５を、図１（Ａ）に示すように円弧板２１とスライダ１３との外形からなるトラック状のコーナを巻回させる。このとき、図４に示すように円弧板２１近傍における巻回開始位置を入口側接着部２７として接着しておく。
【００３６】
その後、口出しファイバ２５を、スライダ１３の外形と円弧板２１の外形とがなすトラック沿いに周回させて、元の口出し方向へと口出しファイバ２５を延ばす。このとき、円弧板２１に対するスライダ１３の相対位置を変化させることによって、つまり円弧板２１に対してスライダ１３を近接または離反させることによって光増幅器１１から機能部品２７までの長さを調整することが可能となる。
【００３７】
なお、本実施の形態においては、前述した通り固定ねじ２３を緩めることにより、スライダ１３の設置位置を任意に変更することができ、このスライダ１３は９０ｍｍの移動範囲内で任意に口出しファイバ２５の口出し長を調整することが可能となる。口出しファイバ２５の目的のファイバ長を得た後は、固定ねじ２３を締め付け、図４に示すように調整後の固定用位置を出口側接着部３１として接着固定する。
【００３８】
このように本実施の形態によれば、光増幅器１１から口出しされた口出しファイバ２５の機能部品２９までの距離を任意に調整可能としたことにより、光増幅器１１からの口出しファイバ２５の長さの製造時マージンが±１０ｍｍとして製造することも容易となった。なお、従来では光増幅器１１からの口出しファイバ２５の長さの製造時マージンが±２５ｍｍ程度必要であった。
【００３９】
また、本実施の形態の光増幅器１１を用いて高密度実装を行う場合には、実装時に円弧板２１に対するスライダ１３の相対距離を調整することにより、適切なファイバ長へと調整が可能となったため、製造時に高精度な口出し長管理を実施することなく、適切な長さの口出しファイバ２５が得られる。
【００４０】
さらに、従来口出しファイバ２５の長さを機能部品２７ごとに厳密に設定していたが、本実施の形態では、光増幅器１１から機能部品２９までの距離を任意に調整可能としたことにより、標準長さを設定しただけで微調整に関しては容易に対応することが可能になる。
【００４１】
そして、本実施の形態によれば、口出しファイバ２５を１回巻回したことにより、光増幅器１１から機能部品２７までの口出しファイバ２５の長さを容易に調整することができる。
【００４２】
また、本実施の形態によれば、光増幅器１１上に固定された円弧板２１と、この円弧板２１に対して相対距離が変化可能なスライダ１３とを備え、円弧板２１に対するスライダ１３の相対距離の変化に応じて口出しファイバ２５を巻回する長さを変化させるようにしたので、口出しファイバ２５の長さを任意に調整することができる。
【００４３】
さらに、本実施の形態によれば、スライダ１３の半円部１５および円弧板２１の各外縁部にそれぞれ内周方向に傾斜するテーパ部１５ａ，２１ａを形成したことにより、口出しファイバ２５をスライダ１３の半円部１５および円弧板２１に巻回する際、口出しファイバ２５の跳ね上がりを防止するので、口出しファイバ２５の巻き崩れを防止することができる。
【００４４】
そして、本実施の形態によれば、機能部品２７は、フェルール、ＳＣコネクタ、ＦＣコネクタ、ＭＵコネクタなどのコネクタ、レーザダイオードモジュール、フォトダイオードモジュールから選択されたいずれか一つであるので、各種の機能部品２７が先端部に取り付けられた口出しファイバ２５に適用することができる。
【００４５】
また、本実施の形態によれば、口出しファイバ２５の径を０．１６〜０．９０ｍｍとしたので、多種類の口出しファイバ２５に適用することができる。
【００４６】
（スライダおよび円弧板の他の実施の形態）
図５（Ａ）〜（Ｃ）は本発明の他の実施の形態における光機器用口出しファイバ長調整機構のスライダおよび円弧板を示す一部正面図である。なお、前記実施の形態と同一または対応する部分には、同一の符号を付して説明する。その他の実施の形態も同様である。
【００４７】
図５（Ａ）に示す実施の形態では、スライダ１３の半円部１５および円弧板２１の各外縁部にそれぞれ内周方向に段部を有する段付き部１５ｂ，２１ｂが形成されている。
【００４８】
図５（Ｂ）に示す実施の形態では、スライダ１３の半円部１５および円弧板２１の各外縁部にそれぞれ内周方向中央に凹部を有する円弧状凹部１５ｃ，２１ｃが形成されている。
【００４９】
図５（Ｃ）に示す実施の形態では、スライダ１３の半円部１５および円弧板２１の各外縁部にそれぞれ上側にオーバハングしているアール状凹部１５ｄ，２１ｄが形成されている。
【００５０】
このようにスライダ１３の半円部１５および円弧板２１の各外縁部をそれぞれ図５（Ａ）〜（Ｃ）に示すように形成したことにより、前記実施の形態と同様に口出しファイバ２５をスライダ１３の半円部１５および円弧板２１に巻回する際、口出しファイバ２５の跳ね上がりを防止するので、口出しファイバ２５の巻き崩れを未然に防止することができる。
【００５１】
（スライダおよび円弧板の別の実施の形態）
図６は本発明の他の実施の形態における光機器用口出しファイバ長調整機構のスライダおよび円弧板を示す正面図である。
【００５２】
図６に示す実施の形態では、光増幅器１１上にスライダ１３および円弧板２１が多重に積層されている。本実施の形態では、スライダ１３および円弧板２１が３重に積層されている。
【００５３】
このように本実施の形態によれば、スライダ１３および円弧板２１を多重に積層したことにより、複数の口出しファイバ２５で長さ調整が必要な場合であっても、それぞれの口出しファイバ２５において、長さの調整を行うことが可能となる。
【００５４】
ここで、本実施の形態では、図６中、光増幅器１１の右下部から３本口出しファイバ２５を導き出しているが、口出し位置によっては、光増幅器１１の４隅部の如何なる位置から導き出すようにしてもよい。
【００５５】
なお、本発明は上記各実施の形態に限定されることなく、種々の変更が可能である。例えば、上記実施形態では、２本の固定ねじ２３およびスライダ１３の２条の長溝１９によってスライダ１３の動作を制限していたが、これ以外にスライダ１３の摺動を真直にするためのガイド部材などを設けてもよい。
【００５６】
また、上記実施形態では、スライダ１３に長溝１９を２条形成したが、長溝１９の条数はスライダ１３の形状と光増幅器１１の構造に応じて１条乃至３条以上であってもよい。但し、１条の長溝１９で実施する場合には、長手方向のみの移動とするためにスライダ１３の移動方向をガイドする構造が必要となる。
【００５７】
さらに、上記実施形態では、円弧板２１を光増幅器１１に取り付ける形態となっているが、これに限らず光増幅器１１に予め円弧板２１と同様な形状のものが一体に設けられていてもよい。
【００５８】
そして、上記実施形態では、口出しファイバ２５の巻回回数を１回としたが、これに限らず使用条件や口出しファイバ２５に要求されるマージン長の幅などに応じて複数周分巻回するようにしてもよい。
【００５９】
また、上記実施形態では、口出しファイバ２５の巻回による長さ調整の前後に実施している入口側接着部２７、出口側接着部３１においての接着固定を行わず、粘着材による固定方法やゴムなどによって挟み込むことによる固定方法でもよい。そして、口出しファイバ２５は、その径が０．２５ｍｍの素線であっても、０．９ｍｍの被覆線であってもよい。
【００６０】
光増幅器１１は、スライダ１３や円弧板２１を固定するための構造を有していれば、如何なる大きさのものであってもよい。また、スライダ１３の半円部１５および円弧板２１の径は、アール２０ｍｍであるが、これよりも大きな曲率半径を有していてもよく、またスライダ１３の動作範囲を大きくするために、長溝１９の長さやスライダ１３の全長を適宜変化させてもよい。
【００６１】
また、上記実施形態では、光増幅器１１の外面にスライダ１３や円弧板２１を固定した例について説明したが、光増幅器１１の内部にスライダ１３や円弧板２１を固定した構造でもよい。
【００６２】
さらに、上記実施形態では、光機器として光増幅器１１に適用した場合について説明したが、これに限らず光ファイバ増幅器、ゲインブロックや分散補償ファイバモジュールなどの光機器に適用可能であって、光信号や励起光をその光機器内に入力して増幅や補償が行われた光信号を出力するものであればよい。
【図面の簡単な説明】
【００６３】
【図１】（Ａ），（Ｂ）は本発明の一実施の形態における光機器用口出しファイバ長調整機構を示す平面図，正面図である。
【図２】（Ａ），（Ｂ）は図１のスライダを示す平面図，正面図である。
【図３】図１の円弧板を示す平面図である。
【図４】図１の光機器用口出しファイバ長調整機構のスライダを移動させた状態を示す平面図である。
【図５】（Ａ）〜（Ｃ）は本発明の他の実施の形態における光機器用口出しファイバ長調整機構のスライダおよび円弧板を示す一部正面図である。
【図６】本発明の別の実施の形態における光機器用口出しファイバ長調整機構のスライダおよび円弧板を示す正面図である。
【符号の説明】
【００６４】
１１  光増幅器（光機器）
１３  スライダ（巻回手段、移動部材）
１５  半円部
１７  長方形部
１９  長溝
２１  円弧板（巻回手段、固定部材）
２３  固定ねじ
２５  口出しファイバ
２７  機能部品
２９  入口側接着部
３１  出口側接着部
【図１】
2005326780.tif 000003
【図２】
2005326780.tif 000004
【図３】
2005326780.tif 000005
【図４】
2005326780.tif 000006
【図５】
2005326780.tif 000007
【図６】
2005326780.tif 000008